(57)【要約】【課題】光源装置や光学部品に対する戻り光や不要光の影響を軽減しつつ、表示画像のコントラストを向上させることができる投射型映像表示装置を提供する。【解決手段】光源装置１０から射出された光を照明光学系に略垂直に入射させるように傾けられて配置された略左右対称に開閉動作をする一対の反射ミラー３０ａ、３０ｂを有し、前記反射ミラー３０ａ、３０ｂによって、光源装置１０から射出された光を所定の割合で反射させることによって、前記光源装置からの光の量を調節する調光装置３０を有する。【選択図】図１
2009204879.tif 000002
【特許請求の範囲】
【請求項１】
照明用の光を射出する光源装置と、
前記光源装置から射出された光を２枚のレンズアレイによって複数の部分光束に分割して重畳させることによって均一化する均一化光学系と、
左右方向に略対称に開閉動作する２枚の反射ミラーで構成され、前記光源装置からの光を所定の割合で反射して、前記均一化光学系に略垂直に入射させるように傾けられて配置された反射ミラーと、
前記光源装置から前記均一化光学系に入射する光の量を調節する調光装置と、
前記照明装置からの光を入力画像信号に応じて変調する空間光変調装置と、
前記空間光変調装置で変調された光をスクリーンに拡大投影するための投射レンズと、を備えた投射型映像表示装置。
【請求項２】
前記空間光変調装置は液晶型空間光変調装置である請求項１に記載の投射型映像表示装置。
【請求項３】
前記調光装置に含まれる反射ミラーが誘電体多層膜ミラーである請求項１に記載の投射型映像表示装置
【請求項４】
前記２枚の反射ミラーのエッジ形状が略左右対称である請求項１に記載の投射型映像表示装置。
【請求項５】
前記反射ミラーのエッジ形状が階段状に形成され、前記反射ミラーの開閉動作時に、前記反射ミラーのエッジにおける階段形状の段差部が前記レンズアレイの複数のレンズセルの境界に沿って移動するように構成されていることを特徴とする請求項４に記載の投射型映像表示装置。
【請求項６】
前記反射ミラーのエッジ形状が滑らかな曲線であることを特徴とする請求項４に記載の投射型映像表示装置。
【請求項７】
前記調光装置の駆動手段は、モーターであり、前記反射ミラーには前記反射ミラーを保持する保持部と前記保持部に接合された腕状の部材の先端部にギアが形成され、前記モーターの回転駆動軸に形成された駆動ギアを前記反射ミラー保持部材に接合された腕状の部材の先端部に形成されたギアそれぞれが挟み込みむように係合され、前記反射ミラーが略左右対称に開閉動作する際に前記反射ミラーを略平行に保持するガイドを有することを特徴とする請求項１に記載の投射型映像表示装置。
【請求項８】
前記調光装置は入力画像信号に応じて、前記光源装置から前記均一化光学系に入射する光の量を調節することを特徴とする請求項１に記載の投射型映像表示装置。
【請求項９】
前記反射ミラーによって反射されない光は耐熱性の黒塗装された金属製の遮光部材に照射されることを特徴とする請求項１に記載の投射型映像表示装置。
【請求項１０】
前記遮光部材は照射される光の光軸に対して傾けて配置されることを特徴とする請求項９に記載の投射型映像表示装置。
【請求項１１】
前記遮光部材は鋸刃状の遮光溝を備えること特徴とする請求項１０に記載の投射型映像表示装置。
【請求項１２】
前記遮光部材は並列に配列された複数の薄板状の遮光溝を備える請求項１０に記載の投射型映像表示装置。
【発明の詳細な説明】
【技術分野】
【０００１】
本発明は、投射型映像表示装置に関し、より詳細には、投射型映像表示装置の投射画像の明るさを可変する技術に関する。
【背景技術】
【０００２】
従来のプロジェクタとして、照明装置に設けた２枚のレンズアレイの間に観音開き状に開閉動作する一対の遮光板を設け、それぞれの遮光板の開閉状態によってプロジェクタで表示されるシーンごとの輝度差を大きくし、表示画像のコントラストを向上させる技術が知られている。（例えば、特許文献１参照。）
【特許文献１】特開２００４−２６４８１９号公報
【発明の開示】
【発明が解決しようとする課題】
【０００３】
前記従来の構成では、光源装置からの光を調節する調光装置において、光源装置からの光を遮光する際、遮光板および遮光板駆動装置が高温になることを避けるために、遮光板の材質にはアルミニウム等が用いられ、その遮光板表面は高い反射率を有するため、遮光板で光源装置側に反射される戻り光による熱の影響が課題となる。
特に前記従来の構成では、観音開き状に開閉動作する遮光板より反射した戻り光は様々な方向におよび特定の箇所での熱処理を行うことができず、特に光源装置の温度を上昇させてしまうため、光源装置の経時劣化が課題となっていた。
【０００４】
本発明は、前記従来の課題を解決するもので、表示画像のコントラストを向上させる技術に対して、光源装置に対する戻り光の影響を軽減した投射型映像表示装置を提供することを目的とする。
【課題を解決するための手段】
【０００５】
前記従来の課題を解決するために、本発明における投射型映像表示装置は、照明用の光を射出する光源装置と、
前記光源装置から射出された光を２枚のレンズアレイによって複数の部分光束に分割して重畳させることによって均一化する均一化光学系と、
左右方向に略対称に開閉動作する２枚の反射ミラーで構成され、前記光源装置からの光を所定の割合で反射して、前記均一化光学系に略垂直に入射させるように傾けられて配置された反射ミラーと、
前記光源装置から前記均一化光学系に入射する光の量を調節する調光装置と、
前記照明装置からの光を入力画像信号に応じて変調する空間光変調装置と、
前記空間光変調装置で変調された光をスクリーンに拡大投影するための投射レンズと、を備えたことを特徴としたものである。
【０００６】
また、本発明は、前記空間光変調装置が液晶型空間光変調装置であることを特徴としたものである。
【０００７】
さらに、前記投射型映像表示装置において、前記反射ミラーが誘電体多層膜ミラーであることを特徴としたものである。
【０００８】
さらに、前記投射型映像表示装置において、前記反射ミラーのエッジ形状が略左右対称であることを特徴としたものである。
【０００９】
さらに、前記投射型映像表示装置において、前記反射ミラーのエッジ形状が階段状に形成され、前記反射ミラーの開閉動作時に、前記反射ミラーのエッジにおける階段形状の段差部が前記レンズアレイの複数のレンズの境界に沿って移動するように構成されていることを特徴としたものである。
【００１０】
さらに、前記投射型映像表示装置において、前記反射ミラーのエッジ形状が滑らかな曲線であることを特徴としたものである。
【００１１】
さらに、前記投射型映像表示装置において、前記調光装置の駆動手段は、モーターであり、前記反射ミラーには前記反射ミラーを保持する保持部材と前記保持部材に接合された腕状の部材の先端部にギアが形成され、前記モーターの回転駆動軸に形成された駆動ギアを前記反射ミラー保持部材に形成されたギアそれぞれが挟み込みむように係合され、前記反射ミラーが略左右対称に開閉動作する際に前記反射ミラーを略平行に保持するガイドを有することを特徴としたものである。
【００１２】
さらに、前記投射型映像表示装置において、前記調光装置は入力画像信号に応じて、前記光源装置から前記均一化光学系に入射する光の量を調節することを特徴としたものである。
【００１３】
さらに、前記投射型映像表示装置において、前記反射ミラーによって反射されない光は耐熱性の黒塗装された金属製の遮光部材に照射されることを特徴としたものである。
【００１４】
さらに、前記投射型映像表示装置において、遮光部材は照射される光の光軸に対して傾けて配置されることを特徴としたものである。
【００１５】
さらに、前記投射型映像表示装置において、前記遮光部材は鋸刃状の遮光溝を備えること特徴としたものである。
【００１６】
さらに、前記投射型映像表示装置において、前期遮光部材は並列に配列された複数の薄板状の遮光溝を備えることを特徴としたものである。
【発明の効果】
【００１７】
本発明の投射型映像表示装置によれば、光源装置に対する戻り光の影響を軽減しつつ、表示画像のコントラストを向上させることができる投射型映像表示装置を得ることができる。
【発明を実施するための最良の形態】
【００１８】
以下に、本発明の投射型映像表示装置の実施の形態を図面とともに詳細に説明する。
【００１９】
（実施の形態１）
図１は、本発明の実施の形態１における投射型映像表示装置の光学系の構成を説明する概略図を示す。
【００２０】
前記投射型映像表示装置は、画像入力信号に応じて変調された画像をスクリーンに拡大投影する装置であり、光源装置２０と、調光装置３０と、照明光学系と、色分離装置５０と、空間光変調装置と、色合成装置と、投射レンズ８０と、を備える。
【００２１】
図１において、光源装置２０は、超高圧水銀灯である光源部１と、光源部１とから周囲に射出された光をコリメートする放物面の凹面鏡２とを備える。なお、前記放物面の凹面鏡２を用いずに、楕円形の凹面鏡と凹レンズを用いてコリメートすることも可能であり、光束を収束させることで、照明光学系に用いられる光学部品の小型化が可能になる。
【００２２】
調光装置３０は光学系の光軸に対して略左右対称に開閉動作する一対の反射ミラー３０ａと反射ミラー３０ｂと、反射ミラー３０ａ、反射ミラー３０ｂが開閉動作をする際に反射ミラー３０ａ、反射ミラー３０ｂが略平行に移動するためのガイドと、反射ミラー３０ａ、反射ミラー３０ｂを動作させる駆動装置と、で構成される。
【００２３】
調光装置３０は光源装置２０から射出されたコリメート光が反射ミラー３０ａ、反射ミラー３０ｂによって反射され、照明光学系に略垂直に入射するように傾けて配置され、光源装置２０からの光を所定の割合で反射させることで、照明光学系に入射する光量を調節する。
前記所定の割合とは、映像のコントラストを向上するために、映像の輝度に応じて前記光源装置からの光量を調整する割合であり、例えば、明るい映像においては、光源からの光量の反射の割合を上げ、暗い映像においては、光源からの光量の反射の割合を下げることで映像のコントラストを向上させる。
【００２４】
この反射の割合は、前記反射ミラーの開閉動作によって調整可能となる。
【００２５】
図１において、光源装置１０から射出する光の光軸と、照明光学系に入射する光の光軸は略垂直であるとして説明しているが、光学系における光利用効率を高めるため、光源装置１０から射出する光が照明光学系に略垂直に入射するように、反射ミラーの角度を定めればよく、光源装置１０と照明光学系が図１に示すような直行する配置でなくてもよい。
【００２６】
反射ミラー３０ａ、反射ミラー３０ｂは誘電体多層膜ミラーであり、反射ミラー３０ａ、反射ミラー３０ｂの形状は光軸に対して略左右対称であり、エッジ部は後述する特殊な形状を有している。
【００２７】
照明光学系は、光源装置２０から射出された光を複数の部分光束に分割して空間光変調装置の所定の照明領域上で重畳させることで均一に照明する第１のレンズアレイ４と第２のレンズアレイ５とを備える均一化光学系３と、光源装置２０から射出した様々な振動方向の光を特定の振動方向である直線偏光（例えば、Ｐ偏光）に揃える偏光変換素子６と、コンデンサーレンズ７と、白色光を赤、緑、青（ＲＧＢ）の三原色に分離する複数枚のダイクロイックミラー１１、１２を備える色分離装置５０と、フィールドレンズ８ｒ、８ｇ、８ｂと、第１のリレーレンズ９と、第２のリレーレンズ１０と、第1の全反射ミラー１３と、第２の全反射ミラー１４と、第３の全反射ミラー１５と、入射側偏光板１６ｒ、１６ｇ、１６ｂと、を備える。
【００２８】
第１のレンズアレイ４および第２のレンズアレイ５は光軸と直行する面内にマトリックス状に配列された矩形開口を有する複数のレンズセルを有し、特に第１のレンズアレイ４のレンズセルの開口形状は後述する空間光変調装置の画像表示領域と略相似形状を有する。
【００２９】
照明光束は照明光学系によって、赤、緑、青ごとに均一照明された空間光変調装置である透過型液晶パネル１７ｒ、１７ｇ、１７ｂにより変調され、出射側偏光板１８ｒ、１８ｇ、１８ｂを透過し、色合成装置であるダイクロイッククロスプリズム１９に入射、色合成され、カラー画像が投射レンズ８０によってスクリーン（不図示）に拡大投影される。
【００３０】
図２は、調光装置３０の詳細部を説明するための正面図および側面図であり、（ａ）は反射ミラー３０ａ、３０ｂ閉時、（ｂ）は反射ミラー３０ａ、３０ｂ開時、（ｃ）は側面図である。
【００３１】
調光装置３０は反射ミラー３０ａと、反射ミラー３０ｂと、反射ミラー３０ａと、反射ミラー３０ｂと、を略平行に移動させるガイドであるガイドシャフト３０ｅと、
反射ミラー３０ａと、反射ミラー３０ｂと、を固着することで保持し、ガイドシャフト３０ｅが摺動可能なガイド穴を備えたミラー保持部３０ｆと、反射ミラー３０ａと、反射ミラー３０ｂと、ガイドシャフト３０ｅを固着することで保持するミラー保持部３０ｇと、ガイドシャフト３０ｅが摺動可能なガイド穴を備え、光学エンジン筐体部（不図示）に形成されるガイドシャフト保持部３０ｈと、ガイドシャフト３０ｅと固着される樹脂部品に形成されるギア３０i、３０ｊと、調光装置３０の駆動手段である、モーター３０ｋと、モーター３０ｋの回転駆動軸３０ｌと、ギア３０ｉと、ギア３０ｊによって、両側から挟みこむように係合する回転駆動軸３０ｌに備えられた駆動ギア３０ｍと、モーター３０ｋの動作を制御する、制御装置３０ｎと、反射ミラー３０ａ、反射ミラー３０ｂが開閉した際に、ガイドシャフト３０ｅがミラー保持部３０ｆから抜けることを防止するガイドシャフト３０ｅの先端部に形成されるストッパー３０ｏと、を備える。
【００３２】
反射ミラー３０ａと、反射ミラー３０ｂが閉じられた時、反射ミラー３０ａと、反射ミラー３０ｂ、それぞれが一部重なり合うようにミラー保持部３０ｆ、３０ｇの奥行きを構成し、反射ミラー３０ａ、反射ミラー３０ｂが重なり合う際はそれぞれが干渉することがないように、奥行き方向にわずかな間隔を有する。
【００３３】
反射ミラー３０ａと、反射ミラー３０ｂの重ね合わせ部３０ｒにおける、重ね合わせ量に関しては反射ミラーのエッジ形状に依存するため後で詳しく説明する。
【００３４】
また、調光装置３０における反射ミラー３０ａ、反射ミラー３０ｂの位置検出には反射ミラー３０ａ、反射ミラー３０ｂが近接する側に固着されたミラー保持部３０ｆ、３０ｇが反射ミラー３０ａ、反射ミラー３０ｂ間に配置されたガイドシャフト保持部３０ｈと当てつけられることで、ストッパーの役割を果たし、投射型映像表示装置が駆動した際の初期制御において、ミラー保持部３０ｆ、３０ｇ、ガイドシャフト保持部３０ｈと当てつけられたことをモーター３０ｋにかかる電流負荷量を制御装置３０ｎで検出することで、位置検出を行い、その情報を元に以降の反射ミラー３０ａ、反射ミラー３０ｂの開閉動作の位置制御を行う。
【００３５】
なお、反射ミラー３０ａ、反射ミラー３０ｂの初期位置検出にはモーター３０ｋの回転駆動軸３０ｌにクラッチを備えることで、ミラー保持部３０ｆ、３０ｇ、ガイドシャフト保持部３０ｈが当てつけられたことによる駆動ギア３０ｍにかかる負荷が所定の量を超えた際にクラッチが空転することを検出することで、初期位置検出をすることも可能である。
【００３６】
また、反射ミラー３０ａ、反射ミラー３０ｂとミラー保持部３０ｆ、３０ｇを介して連結された２本のガイドシャフト３０ｅが光学エンジン筐体部に形成されたガイドシャフト保持部３０ｈに支持されることによって、反射ミラー３０ａ、反射ミラー３０ｂの平行度が高い精度で保たれ、照明光学系へ高い効率で光を導くことができる。
【００３７】
さらに、上下方向に配置される２本のガイドシャフト３０ｅ、ミラー保持部３０ｆ、ガイドシャフト保持部３０ｈに光源装置２０から射出される光が照射されないような配置にすることで、熱による摺動部の変形等の影響を軽減することができる。
【００３８】
さらに、モーター３０ｋと駆動ギア３０ｍを介して係合されるギア３０ｉ、３０ｊを調光装置３０の奥行き方向にギア係合面をずらして配置することで、反射ミラー３０ａ、反射ミラー３０ｂが開放された際に、ギア３０ｊの一部が反射ミラー３０ａの背後に隠れるようにギア３０ｉ、３０ｊの駆動方向を決定することにより、調光装置の幅方向のサイズを小型化することができる。
【００３９】
図３は、反射ミラー３０ａ、反射ミラー３０ｂのエッジ形状について説明するための図であり、（ａ）は図１におけるＡ方向から見た、調光装置３０と第１のレンズアレイの正面図であり、（ｂ）は上面図であり、（ｃ）は図１におけるＡ方向から見た、反射ミラー３０ａ、反射ミラー３０ｂが閉じられた時の正面図であり、（ｄ）は上面図である。
【００４０】
図３に示すとおり、反射ミラー３０ａ、反射ミラー３０ｂは光軸に対して略左右対称な形状である、エッジ３０ａＥＧ、エッジ３０ｂＥＧを有する。
【００４１】
実施の形態１では、エッジ３０ａＥＧ、３０ｂＥＧが階段状に形成され、反射ミラー３０ａ、反射ミラー３０ｂの開閉動作時に、エッジ３０ａＥＧ、３０ｂＥＧにおける階段形状の段差部が第１のレンズアレイ４の複数のレンズセルの左右方向の境界に沿って移動するように構成されていることで光量調節時の照度ムラを軽減することができる。
【００４２】
また、上述した反射ミラー３０ａと反射ミラー３０ｂが閉じられた時の反射ミラー重ね合わせ部３０ｒの重ね合わせ量は、それぞれのエッジ３０ａＥＧ、３０ｂＥＧが互いに行き違う位置まで重ね合わせることにより、調光を行わない時、全ての光を照明光学系に導くことができる。
【００４３】
図３において、反射ミラー３０ｂは反射ミラー３０ａに対して手前である光源装置１０側に配置される。
【００４４】
前記構成と逆に反射ミラー３０ａが反射ミラー３０ｂに対して手前である光源装置１０側に配置されると、反射ミラー３０ａ、反射ミラー３０ｂが閉じられた時、反射ミラー重ね合わせ部３０ｒ近傍において、反射ミラー３０ａで反射した光が反射ミラー３０ｂの有する厚みによってケラレが生じてしまうため、図３に示した構成にすることにより、調光を行わない時の光利用効率をより高めることができる。
【００４５】
また、図３において、エッジ３０ａＥＧ、３０ｂＥＧが反射ミラー３０ａ、反射ミラー３０ｂの上下方向から中心部に向けて反射ミラー３０ａ、反射ミラー３０ｂの反射面積が大きくなるような階段形状を有するものとして説明を行ったが、逆に反射ミラー３０ａ、反射ミラー３０ｂの中心部から上下方向に向けて反射ミラー３０ａ、反射ミラー３０ｂの反射面積が大きくなるように階段形状を形成しても同様の効果が得られる。
【００４６】
図４は、遮光部材２１の形状について説明するための図である。
【００４７】
反射ミラー３０ａ、反射ミラー３０ｂで反射されなかった不要光は、光源装置２０から調光装置３０の延長上に、不要光の光軸に対して傾けられて配置された遮光部材２１に照射される。
【００４８】
遮光部材２１の材質はアルミニウムであり、遮光部材２１の表面には黒アルマイト処理を施し、不要光が照射される面には、図４に示すような鋸歯状の遮光溝２２を有する。
【００４９】
このような構成により、遮光部材２１に照射された不要光が光学系に悪影響を与える迷光になることを防止し、遮光溝２２が図４に示すような鋸歯状であれば、遮光部材２１を薄くすることができ、装置全体の小型化につながる。
【００５０】
また、遮光部材２１に黒アルマイト処理を施す前に遮光溝２２の表面にブラスト処理やエッチング処理などを施すとよく、表面をあらすことにより表面反射が抑えられ、迷光対策効果をさらに高めることができる。
【００５１】
以上のように、実施の形態１において、調光装置３０を上述した構成にすることで、光源装置２０に対する戻り光の影響を軽減しつつ、表示画像のコントラストを向上させることができる投射型映像表示装置を得ることができる。
【００５２】
また、実施の形態１では、反射ミラー３０ａ、反射ミラー３０ｂを誘電体多層膜ミラーとしたことで、アルミ蒸着ミラーより高い反射率が得られるため、より高い光利用効率が得られ、反射ミラー３０ａ、反射ミラー３０ｂのコート信頼性も向上させることができる。
【００５３】
さらに、誘電体多層膜ミラーをＵＶＩＲ光を透過させるＵＶＩＲカットミラーにすることにより、超高圧水銀灯である光源部１から出射されるＵＶＩＲ光を反射ミラー３０ａ、反射ミラー３０ｂの開閉状態にかかわらず高い割合で透過させ、遮光部材２１に照射させることができ、光源装置２０にも照明光学系における偏光変換素子６、入射側偏光板１６、透過型液晶パネル１７、出射側偏光板１８、などの光学部品にもＵＶＩＲ光が照射されないため、温度上昇による経時劣化を大幅に抑制することが出来る。
【００５４】
（実施の形態２）
以下、本発明の実施の形態２における投射型映像表示装置について説明する。
【００５５】
なお、実施の形態２の投射型映像表示装置は、実施の形態１の投射型映像表示装置を一部変更したものであり、特に説明しない部分については実施の形態１の投射型映像表示装置と同様であるものとする。
【００５６】
図５は、本発明の実施の形態２の投射型映像表示装置における反射ミラー３０ｐ、反射ミラー３０ｑのエッジ形状を説明する図であり、（ａ）は図１におけるＡ方向から見た、反射ミラー３０ｐ、反射ミラー３０ｑと第１のレンズアレイ４の正面図であり、（ｂ）は上面図であり、（ｃ）は図１におけるＡ方向から見た、反射ミラー３０ｐ、反射ミラー３０ｑが閉じられた時の正面図であり、（ｄ）は上面図である。
【００５７】
実施の形態１と異なるところは、反射ミラー３０ｐ、反射ミラー３０ｑのそれぞれのエッジ３０ｐＥＧ、３０ｑＥＧが凸である滑らかな曲線で構成される点である。
【００５８】
このような構成でも、光量調節時の照度ムラを軽減することができるとともに、ミラーのエッジ形状が単純なため、部品生産時におけるタクト削減、取り扱いの簡易化、不良発生率の抑制が可能となる。
【００５９】
また、エッジ３０ｐＥＧ、エッジ３０ｑＥＧの曲線部は照明光学系における有効光束範囲である、第１のレンズアレイ４の最上段および最下段のレンズセル境界まで形成すればよい。
【００６０】
もちろん、部品加工上および構成上、曲線部を反射ミラー上下方向端まで延長させてもよく、その際、反射ミラー重ね合わせ部３０ｒにおける、重ね合わせ量は有効光束範囲において、それぞれのエッジ３０ｐＥＧ、３０ｑＥＧが互いに行き違う位置まででよい。
【００６１】
また、図５において、エッジ３０ｐＥＧ、３０ｑＥＧが凸である滑らかな曲線であるとして説明を行ったが、凹である滑らかな曲線でも同様の効果が得られる。
【００６２】
図６は、本発明の実施の形態２の投射型映像表示装置における遮光部材２３の形状について説明する図である。
【００６３】
実施の形態１と異なるところは遮光部材２３の遮光溝２４の形状を並列に配列された複数の薄板状の突起を設けた点である。このような構成をとることにより、遮光溝２４がヒートシンクの役割を果たし冷却効果を高めることができ、不要光に照射された遮光部材２３が新たな熱源となることを防止することができる。
【００６４】
本発明の実施の形態における投射型映像表示装置は、スクリーンに投射した投射画像を投射した側から観察するフロント投射用のプロジェクタや、観察するスクリーンの裏側から背面投射するリアプロジェクションディスプレイに用いることができる。
【００６５】
図７は、本発明の実施の形態における投射型映像表示装置９０をフロント投射用のプロジェクタに用いた時の側面図である。
【００６６】
図８は、本発明の実施の形態における投射型映像表示装置９０をリアプロジェクションディスプレイに用いた時の側面図である。
【産業上の利用可能性】
【００６７】
本発明にかかる投射型映像表示装置は、略左右対称に開閉動作をする一対の反射ミラーを用いた調光装置を有し、戻り光や不要光の影響を軽減することで、光源装置や光学部品の信頼性を向上させつつ、表示画像のコントラストを向上させることができるため、プロジェクタやリアプロジェクションディスプレイなどに有用である。
【図面の簡単な説明】
【００６８】
【図１】本発明の実施の形態１における投射型映像表示装置の光学系概略図
【図２】本発明の実施の形態１における投射型映像表示装置の調光装置を示す正面図および側面図
【図３】本発明の実施の形態１における投射型映像表示装置の調光装置に含まれる反射ミラーの形状を示す正面図および上面図
【図４】本発明の実施の形態１における投射型映像表示装置の遮光板形状を示す図
【図５】本発明の発実施の形態２における投射型映像表示装置の調光装置に含まれる反射ミラーの形状を示す正面図および上面図
【図６】本発明の実施の形態２における投射型映像表示装置の遮光板形状を示す図
【図７】本発明の実施の形態における投射型映像表示装置を利用した、プロジェクタの側面図
【図８】本発明の実施の形態における投射型映像表示装置を利用した、リアプロジェクションディスプレイの側面図
【符号の説明】
【００６９】
１  光源部
２  凹面鏡
３  均一化光学系
４  第１のレンズアレイ
５  第２のレンズアレイ
６  偏光変換素子
７  コンデンサーレンズ
８ｒ、８ｇ、８ｂ  フィールドレンズ
９  第１のリレーレンズ
１０  第２のリレーレンズ
１１  第１のダイクロイックミラー
１２  第２のダイクロイックミラー
１３  第１の全反射ミラー
１４  第２の全反射ミラー
１５  第３の全反射ミラー
１６ｒ、１６ｇ、１６ｂ  入射側偏光板  
１７ｒ、１７ｇ、１７ｂ  透過型液晶パネル
１８ｒ、１８ｇ、１８ｂ  出射側偏光板
１９  ダイクロイッククロスプリズム
２０  光源装置
２１  遮光部材
２２  遮光溝
２３  遮光部材
２４  遮光溝
３０  調光装置
３０ａ、３０ｂ  反射ミラー
３０ａＥＧ、３０ｂＥＧ  エッジ
３０ｅ  ガイドシャフト
３０ｆ、３０ｇ  ミラー保持部
３０ｈ  ガイドシャフト保持部
３０ｉ、３０ｊ  ギア
３０ｋ  モーター
３０ｌ  回転駆動軸
３０ｍ  駆動ギア
３０ｎ  制御装置
３０ｏ  ストッパー
３０ｐ、３０ｑ  反射ミラー
３０ｐＥＧ、３０ｑＥＧ  エッジ
３０ｒ、３０ｓ  反射ミラー重ね合わせ部
５０  色分離装置
８０  投射レンズ
９０  投射型映像表示装置
９１  スクリーン
９２  背面ミラー
９３  背面投射スクリーン
【図１】
2009204879.tif 000003
【図２】
2009204879.tif 000004
【図３】
2009204879.tif 000005
【図４】
2009204879.tif 000006
【図５】
2009204879.tif 000007
【図６】
2009204879.tif 000008
【図７】
2009204879.tif 000009
【図８】
2009204879.tif 000010